(57)【特許請求の範囲】
【請求項１】
２Ｎ（Ｎは３以上の整数）本の光ファイバ心線からなる光ファイバテープ心線であって、隣接するＭ（ＭはＮよりも小さい２以上の整数）本毎に一体化されたサブテープ心線は、隣接する該サブテープ心線間の長手方向に連結部と非連結部とが間欠的に形成され、
該光ファイバテープ心線の断面を該光ファイバテープ心線の幅方向で見た場合、隣接するサブテープ心線が連結され、２Ｍ本の前記光ファイバ心線が連結されたテープ部分が、１箇所であり、
１つの前記連結部および１つの前記非連結部で構成される長さをＰとした場合、前記テープ部分が、Ｐ／｛（２Ｎ／Ｍ）−１｝の長さで形成されている、光ファイバテープ心線。
【請求項２】
前記光ファイバテープ心線の前記テープ部分が、前記光ファイバテープ心線の長手方向で周期的にずれて形成されている、請求項１に記載の光ファイバテープ心線。
【請求項３】
前記テープ部分が、長手方向にＰ／｛（２Ｎ／Ｍ）−１｝の長さずつずれて形成されている、請求項１または２に記載の光ファイバテープ心線。
【請求項４】
前記連結部で連結されたテープ部分が４心である、請求項１〜３のいずれか１項に記載の光ファイバテープ心線。
【請求項５】
請求項１〜４のいずれか１項に記載の光ファイバテープ心線を収納したコアと、該コアを被覆して丸型に形成された外被とを備える、光ファイバケーブル。
【請求項６】
請求項１〜４のいずれか１項に記載の光ファイバテープ心線を直線状に引き揃えた端末に、多心コネクタが接続された、光ファイバコード。
【発明の詳細な説明】
【技術分野】
【０００１】
本発明は、光ファイバテープ心線、光ファイバケーブルおよび光ファイバコードに関し、詳細には、複数本の光ファイバ心線が被覆層により一体化され、隣接する複数本毎にサブテープ心線を構成し、隣接するサブテープ心線間の長手方向に連結部と非連結部とが間欠的に形成された光ファイバテープ心線、光ファイバケーブルおよび光ファイバコードに関する。
【背景技術】
【０００２】
近年の映像配信、ＩＰ（Internet Protocol）電話、データ通信等のブロードバンドサービスの拡大により、光ファイバによる家庭向けのデータ通信サービス（ＦＴＴＨ：Fiber To The Home）の加入者が増加している。このＦＴＴＨでは、光ファイバテープ心線が用いられる。光ファイバテープ心線は、多心一括融着接続を行うこと等を目的として、複数本の光ファイバ心線を平行一列に並べて一体化されたものである。
【０００３】
この光ファイバテープ心線について、例えば、特許文献１〜４には、単心の光ファイバ心線に分離（分岐）しても使用できる間欠連結型の光ファイバテープ心線（間欠テープ心線ともいう）の技術が開示されている。また、特許文献５には、２心の光ファイバ心線に分離可能な間欠テープ心線の技術が開示されている。間欠テープ心線では、その長手方向に連結部と非連結部とが交互に形成され、隣り合う光ファイバ心線同士が間欠的に連結されている。
【先行技術文献】
【特許文献】
【０００４】
【特許文献１】特開２０１１−１６９９３７号公報
【特許文献２】特開２００７−２７９２２６号公報
【特許文献３】特許第４６１９４２４号公報
【特許文献４】特開２０１４−９５５６０号公報
【特許文献５】特開２０１３−２０５５０１号公報
【発明の概要】
【発明が解決しようとする課題】
【０００５】
しかしながら、上記特許文献１〜４では、融着作業時に単心の光ファイバ心線に分離し、融着ホルダにセットする際に、分離した単心の光ファイバ心線が、隣りの連結部に乗り上げたり、裏返ったり、離れてホルダ溝からはみ出たりしないこと（融着作業性の改善）が望まれる。一方、上記特許文献５のように、２心の光ファイバ心線毎に分離される構造にすれば融着作業性を改善できるが、この場合の連結部は４心テープ部分で構成される。
【０００６】
そして間欠テープ心線の心数が増えた場合、この４心テープ部分が間欠テープ心線の幅方向で２箇所以上重なって設けられることがある。この場合、テープ長手方向に直交するテープ幅方向（光ファイバ心線同士を引き離す方向）に曲がり難くなるため、間欠テープ心線を例えば光ファイバケーブルに収納する際の作業性や、ケーブル化後の小径曲げ時に伝送特性を悪化させない対策が望まれる。
【０００７】
本発明は、上述のような実情に鑑みてなされたもので、融着作業性の向上および伝送特性の悪化防止を図る光ファイバテープ心線、光ファイバケーブルおよび光ファイバコードを提供することを目的とする。
【課題を解決するための手段】
【０００８】
本発明の一態様に係る光ファイバテープ心線は、２Ｎ（Ｎは３以上の整数）本の光ファイバ心線からなる光ファイバテープ心線であって、隣接するＭ（ＭはＮよりも小さい２以上の整数）本毎に一体化されたサブテープ心線は、隣接する該サブテープ心線間の長手方向に連結部と非連結部とが間欠的に形成され、該光ファイバテープ心線の断面を該光ファイバテープ心線の幅方向で見た場合、隣接するサブテープ心線が連結され、２Ｍ本の前記光ファイバ心線が連結されたテープ部分が、１箇所であり、１つの前記連結部および１つの前記非連結部で構成される長さをＰとした場合、前記テープ部分が、Ｐ／｛（２Ｎ／Ｍ）−１｝の長さで形成されている。
【発明の効果】
【０００９】
上記によれば、従来に比して伝送特性の悪化を防止でき、また、取り扱いやすい光ファイバテープ心線を提供できる。また、融着作業を速やかに行うことができる。
【図面の簡単な説明】
【００１０】
【図１】本発明の一実施形態による光ファイバテープ心線を示す図である。
【図２】図１の光ファイバテープ心線の幅方向に閉じた状態を示す図である。
【図３】図２の光ファイバテープ心線の幅方向の断面を示す図である。
【図４】本発明の一実施形態による光ファイバケーブルの断面図である。
【図５】本発明の一実施形態による光ファイバコードの斜視図である。
【図６】他の実施形態による光ファイバテープ心線の幅方向に閉じた状態を示す図である。
【図７】さらに他の実施形態による光ファイバテープ心線の幅方向に閉じた状態を示す図である。
【発明を実施するための形態】
【００１１】
［本発明の実施形態の説明］
最初に本発明の実施形態の内容を列記して説明する。
本発明の一態様に係る光ファイバテープ心線は、（１）２Ｎ（Ｎは３以上の整数）本の光ファイバ心線からなる光ファイバテープ心線であって、隣接するＭ（ＭはＮよりも小さい２以上の整数）本毎に一体化されたサブテープ心線は、隣接する該サブテープ心線間の長手方向に連結部と非連結部とが間欠的に形成され、該光ファイバテープ心線の断面を該光ファイバテープ心線の幅方向で見た場合、隣接するサブテープ心線が連結され、２Ｍ本の前記光ファイバ心線が連結されたテープ部分が、１箇所であり、１つの前記連結部および１つの前記非連結部で構成される長さをＰとした場合、前記テープ部分が、Ｐ／｛（２Ｎ／Ｍ）−１｝の長さで形成されている。光ファイバテープ心線の幅方向では、隣接するサブテープ心線を連結部で連結したテープ部分が２箇所以上設けられなくなるので、光ファイバテープ心線をテープの幅方向に曲げやすくなる。この結果、従来に比して伝送特性の悪化を防止でき、また、取り扱いやすい光ファイバテープ心線を提供できる。また、サブテープ心線で構成すれば、単心線に比べて幅があるので、テープ心線を例えば融着ホルダにセットする際に、サブテープ心線が隣りの連結部に乗り上げたり、裏返ったり、離れてホルダ溝からはみ出たりし難くなり、融着作業を速やかに行える。
【００１２】
（２）前記光ファイバテープ心線の前記テープ部分が、前記光ファイバテープ心線の長手方向で周期的にずれて形成されている。（３）前記テープ部分が、長手方向にＰ／｛（２Ｎ／Ｍ）−１｝の長さずつずれて形成されている。（４）前記連結部で連結されたテープ部分が４心である。
【００１３】
本発明の一態様に係る光ファイバケーブルは、（５）上述の光ファイバテープ心線を収納したコアと、該コアを被覆して丸型に形成された外被とを備える。伝送特性が悪化しない光ファイバケーブルを提供できる。本発明の一態様に係る光ファイバコードは、（６）上述の光ファイバテープ心線を直線状に引き揃えた端末に、多心コネクタが接続されている。端末部分を直線状に引き揃えることにより、多心コネクタを容易に取り付け可能になる。
【００１４】
［本発明の実施形態の詳細］
以下、添付図面を参照しながら、本発明による光ファイバテープ心線、光ファイバケーブルおよび光ファイバコードの好適な実施の形態について説明する。
図１は、本発明の一実施形態による光ファイバテープ心線を示す図、図２は、図１の光ファイバテープ心線の幅方向に閉じた状態を示す図であり、図３は、図２の光ファイバテープ心線の幅方向の断面を示す図である。
【００１５】
図１，２に示すように、光ファイバテープ心線は、間欠構造を持つ２Ｎ本（Ｎは３以上の整数であり、図１，２は、Ｎ＝６とした１２本の例）の光ファイバ心線１１からなる間欠テープ心線（１２心間欠テープ心線ともいう）１０である。なお、図では１２心間欠テープ心線の例を挙げて説明するが、例えばＮ＝１８とした３６心間欠テープ心線や、Ｎ＝３１とした６２心間欠テープ心線であってもよい。
【００１６】
１２心間欠テープ心線１０は、１２本の光ファイバ心線１１が平行一列に配列され、隣り合うＭ本（ＭはＮよりも小さい２以上の整数であり、図１，２は、Ｍ＝２とした２心の例）毎にサブテープ心線１５を構成している。この例では、計６組のサブテープ心線１５が設けられている。２心をまとめたサブテープ心線１５にすれば、単心線に比べて幅があるので、融着作業性が向上する。
【００１７】
具体的には、１組目のサブテープ心線１５は、図１や図２で見て最も上方に位置した１番線と、テープ幅方向（Ｙ軸方向、以下同じ）で１番線に隣接する２番線との組み合わせで形成されている。また、２組目のサブテープ心線１５は、２番線に隣接する３番線と、その隣の４番線との組み合わせで形成されている。
そしてこの例では２心毎に間欠されており、隣り合う１，２組目のサブテープ心線１５の間（つまり、２番線と３番線との間）のテープ長手方向（Ｘ軸方向、以下同じ）に、連結部１２と非連結部１３とが間欠的に形成されている。
【００１８】
また、１つの連結部１２および１つの非連結部１３で構成される長さ（間欠ピッチＰともいう）は例えば１５０ｍｍ程度に設定され、テープ幅は、１２心テープ心線の場合、例えば３ｍｍ程度に設定されている。
なお、非連結部１３を容易に形成するためには、間欠ピッチＰは７０ｍｍ以上であることが好ましい。また、間欠テープ心線の柔軟性を確保するためには、連結部１２の長さＡとすると、間欠ピッチＰとの比率（Ａ／Ｐ）が０．４以下であることが好ましい。
【００１９】
連結部１２は、上記間欠ピッチＰの整数分の１以下（例えば、Ｐ／｛（２Ｎ／Ｍ）−１｝、例えばＮ＝６、Ｍ＝２の場合はＰ／５である３０ｍｍ程度）の長さで形成されている。この場合、上記Ａ／Ｐは０．２である。
また、非連結部１３は残り（例えば４Ｐ／５である１２０ｍｍ程度）の長さで形成されている。このため、１，２組目のサブテープ心線１５では、テープ長手方向で見ると、連結部１２で連結した第１の４心テープ部分１６ａが例えば３０ｍｍ程度で設けられ、続いて、非連結部１３で分けられた１組目のサブテープ心線１５および２組目のサブテープ心線１５が例えば１２０ｍｍ程度で設けられている。
【００２０】
次に、３組目のサブテープ心線１５は、上記４番線に隣接する５番線と、その隣の６番線との組み合わせで形成されている。そして隣り合う２，３組目のサブテープ心線１５の間（つまり、４番線と５番線との間）のテープ長手方向に、連結部１２と非連結部１３とが間欠的に形成されている。
同様に、４組目のサブテープ心線１５は、上記６番線に隣接する７番線と、その隣の８番線との組み合わせで形成されており、隣り合う３，４組目のサブテープ心線１５の間（つまり、６番線と７番線との間）のテープ長手方向に、連結部１２と非連結部１３とが間欠的に形成されている。
【００２１】
また、５組目のサブテープ心線１５は、上記８番線に隣接する９番線と、その隣の１０番線との組み合わせで形成され、隣り合う４，５組目のサブテープ心線１５の間（つまり、８番線と９番線との間）のテープ長手方向に、連結部１２と非連結部１３とが間欠的に形成されている。
さらに、６組目のサブテープ心線１５は、上記１０番線に隣接する１１番線と、その隣の１２番線との組み合わせで形成されており、隣り合う５，６組目のサブテープ心線１５の間（つまり、１０番線と１１番線との間）のテープ長手方向に、連結部１２と非連結部１３とが間欠的に形成されている。
【００２２】
ところで、４心テープ部分１６ａ，１６ｂ，・・・は、テープ長手方向で周期的にずれて形成され、具体的には、テープ長手方向で上記間欠ピッチＰの整数分の１（例えば、Ｐ／｛（２Ｎ／Ｍ）−１｝、例えばＮ＝６、Ｍ＝２の場合はＰ／５である３０ｍｍ程度）の長さずつずれて現れている。
これにより、図１のような２心をまとめたサブテープ心線１５の例では、間欠テープ心線の断面をテープ幅方向で見た場合、連結部１２で連結した１つの４心テープ部分（隣接する２組のサブテープ心線１５で構成）と、テープ幅方向に並んだ非連結部１３で分けられた４つの２心テープ部分（それぞれ１組のサブテープ心線１５で構成）との組み合わせで形成されている。
【００２３】
詳しくは、図２のＡ−Ａ線矢視断面図である図３（Ａ）では、テープ幅方向（Ｙ軸方向）で見た場合、上記１，２組目のサブテープ心線１５で構成された第１の４心テープ部分１６ａだけが１箇所設けられ、残りは上記３〜６組目のサブテープ心線１５が設けられている。
【００２４】
次に、２，３組目のサブテープ心線１５では、その左端に設けられた非連結部１３の右端の位置に、連結部１２（長さＰ／５）で連結した第２の４心テープ部分１６ｂが設けられ、続いて、非連結部１３（長さ４Ｐ／５）で分けられた２組目のサブテープ心線１５および３組目のサブテープ心線１５が設けられている。
これにより、図２のＢ−Ｂ線矢視断面図である図３（Ｂ）では、テープ幅方向で見た場合、上記２，３組目のサブテープ心線１５で構成された第２の４心テープ部分１６ｂだけが１箇所設けられ、残りは上記１，４〜６組目のサブテープ心線１５が設けられており、第１の４心テープ部分１６ａなどは設けられていない。
【００２５】
また、３，４組目のサブテープ心線１５では、その左端に設けられた非連結部１３の右端の位置に、連結部１２（長さＰ／５）で連結した第３の４心テープ部分１６ｃが設けられ、続いて、非連結部１３（長さ４Ｐ／５）で分けられた３組目のサブテープ心線１５および４組目のサブテープ心線１５が設けられている。
これにより、図２のＣ−Ｃ線矢視断面図である図３（Ｃ）では、テープ幅方向で見た場合、上記３，４組目のサブテープ心線１５で構成された第３の４心テープ部分１６ｃだけが１箇所設けられ、残りは上記１，２，５，６組目のサブテープ心線１５が設けられており、第１，２の４心テープ部分１６ａ，１６ｂなどは設けられていない。
【００２６】
同様に、４，５組目のサブテープ心線１５では第４の４心テープ部分１６ｄが設けられ、５，６組目のサブテープ心線１５では第５の４心テープ部分１６ｅが設けられており、図２のＤ−Ｄ線矢視断面図である図３（Ｄ）、図２のＥ−Ｅ線矢視断面図である図３（Ｅ）では、テープ幅方向で見た場合、４心テープ部分が１箇所だけ設けられている。
【００２７】
このように、各４心テープ部分１６ａ〜１６ｅは、テープ長手方向でずれた位置に設けられているので、間欠テープ心線をテープ幅方向に曲げやすくなる。この結果、従来に比して伝送特性の悪化を防止でき、また、取り扱いやすい光ファイバテープ心線を提供できる。また、サブテープ心線で構成すれば、単心線に比べて幅があるので、間欠テープ心線を例えば融着ホルダにセットする際に、サブテープ心線が隣りの連結部に乗り上げたり、裏返ったり、離れてホルダ溝からはみ出たりし難くなり、融着作業を速やかに行える。
【００２８】
なお、上記の連結部１２および非連結部１３は、例えば、被覆樹脂の付与と付与停止、若しくは、紫外線（ＵＶ）の照射と照射停止、または、カッター刃の切り込みと切り込み停止などによる各種手法によって、交互に形成できる。
【００２９】
また、図３に示すように、光ファイバ心線１１の周囲には、例えば紫外線硬化樹脂によるテープ被覆１４が形成されており、連結部１２では、隣り合う光ファイバ心線１１のテープ被覆１４が連結している。テープ被覆の厚みは約２８０μｍ程度である。
非連結部１３では、隣り合う光ファイバ心線１１のテープ被覆１４が連結されておらず、サブテープ心線１５毎に分離された状態となる。なお、図３では、非連結部１３の位置にも光ファイバ心線１１の周りにテープ被覆１４を施した例で説明しているが、これに限らず、非連結部１３の位置にはテープ被覆１４を施さず、連結部１２においてのみテープ被覆１４で光ファイバ心線１１間を連結してもよい。
【００３０】
なお、光ファイバ心線１１は、ガラスファイバにファイバ被覆を施した光ファイバ素線といわれているもの、あるいは、そのファイバ被覆の外面に着色層を施したものを含めた光ファイバ単心線であり、光ファイバ心線１１は、そのガラス径が略１２５μｍ、テープ被覆１４を除く光ファイバ心線の被覆の外径が２５０μｍ程度である。
【００３１】
図４および図５は、本発明の一実施形態による光ファイバケーブル、光ファイバコードの説明図であり、図４は光ファイバケーブルにおける長手方向に垂直な断面図、図５はコードの端末部分の斜視図である。
光ファイバケーブル２０は、図１で例示したような間欠テープ心線１０を収納したコア１８を、図４に示す外被２２で被覆しており、図５は、間欠テープ心線の端末に多心コネクタ３０を接続した光ファイバコードの例を示している。
【００３２】
コア１８は、抗張力体と間欠テープ心線とを含めばよく、図４に示すように、例えばアラミド繊維による抗張力体２１の周囲に、１２心間欠テープ心線１０を丸め、さらに例えば同じアラミド繊維による抗張力体２１でその周りを囲んで形成すればよい。これにより、上記４心のテープ部分はテープ幅方向に曲がりにくいものの、これに連なる２心のテープ部分がテープ幅方向に曲がりやすいため、伝送特性が悪化しない光ファイバケーブルを提供できる。
【００３３】
なお、間欠テープ心線１０は、その断面形状が円を描くように設けられる必要はなく、任意の形状に折り畳むことも可能である。
また、外被２２は、コア１８の外側を、ケーブルの断面形状が丸型になるように被覆するものであればよく、例えばＰＶＣ（ポリ塩化ビニル）等で構成すればよい。
【００３４】
図５に示すように、外被２２で被覆した光ファイバケーブル２０の少なくとも一方の端末部分には、多心コネクタ３０が接続されている。多心コネクタ３０は、例えば、ＭＴコネクタをベース構造とした１２心のＭＰＯコネクタであり、コネクタ本体部３１と、このコネクタ本体部３１の後方に光ファイバケーブル２０を導入する、弾性材からなるブーツ部３５とを有している。
【００３５】
コネクタ本体部３１の前面３２には、光ファイバ心線の端末部分が直線状に引き揃えられており、光ファイバ端を露出可能なファイバ孔３３が形成されている。これにより、多心コネクタを容易に取り付け可能になる。なお、例えば２４心のテープ心線の場合には２段で配列された２４心のＭＰＯコネクタなどを採用してもよい。
また、コネクタ本体部３１には、ファイバ孔３３の左右両側に、相手方コネクタを位置決めするガイド孔３４が形成されており、ガイド孔３４にガイドピン（図示省略）を挿入して相手方コネクタと接続することにより、コネクタ間の接合位置が精度よく一致される。なお、コネクタ本体部３１の前面３２は、光ファイバ心線をファイバ孔３３に挿着固定した状態で斜め研磨面を形成することにより、光ファイバ端が所定の傾斜面で形成され、信号光の反射を抑制することができる。
【００３６】
ところで、図１で説明した例では、テープ幅方向で見て、４心テープ部分が常に１箇所だけ設けられる例を挙げて説明したが、４心テープ部分が１箇所未満（０箇所）であってもよい。
具体的には、図６に示した例は、図１の例と同様に、テープ長手方向（Ｘ軸方向）に沿って第１〜５の４心テープ部分１６ａ〜１６ｅの順に設けられているが、連結部１２が、Ｎ＝６、Ｍ＝２の場合はＰ／５以下（例えばＰ／１０）の長さで形成されており、非連結部１３は、図１で説明した非連結部１３の左端が左方に延びて、９Ｐ／１０の長さで形成されている。このため、テープ幅方向で見た場合、例えば第１の４心テープ部分１６ａの右端と第２の４心テープ部分１６ｂの左端との間（図中にＱで示す）などには、上記１〜６組目のサブテープ心線１５だけが設けられており、４心のテープ部分は存在していない。
【００３７】
また、図１，６で説明した例では、テープ幅方向に沿って第１〜５の４心テープ部分１６ａ〜１６ｅの順に設けた例を挙げて説明した。しかし、４心テープ部分の配置パターンは上記例に限ったものではない。例えば、テープ幅方向で隣り合う各４心テープ部分が、テープ幅方向で非連結部１３を挟んで、あるいはテープ長手方向で１組のサブテープ心線１５を挟んで設けられていてもよい。
【００３８】
詳しくは、図７（Ａ）に示すように、１，２組目のサブテープ心線１５は図１で説明したものと同じであるが、２，３組目のサブテープ心線１５では、その左端に設けられた非連結部１３の右端の位置に、連結部１２（長さＰ／５）で連結した第２の４心テープ部分１６ｂが設けられ、続いて、非連結部１３（長さ４Ｐ／５）で分けられた２組目のサブテープ心線１５および３組目のサブテープ心線１５が設けられている。第２の４心テープ部分１６ｂは、第１の４心テープ部分１６ａからテープ長手方向で３Ｐ／５ずれた位置に設けられており、第１の４心テープ部分１６ａと第２の４心テープ部分１６ｂの間には、テープ長手方向で１組（２組目）の、連結されていないサブテープ心線１５が設けられている。
【００３９】
同様に、３，４組目のサブテープ心線１５では、第２の４心テープ部分１６ｂからテープ長手方向で３Ｐ／５ずれた位置（第１の４心テープ部分１６ａからテープ長手方向でＰ／５ずれた位置）に第３の４心テープ部分１６ｃが設けられており、４，５組目のサブテープ心線１５では、第３の４心テープ部分１６ｃからテープ長手方向で３Ｐ／５ずれた位置（第１の４心テープ部分１６ａからテープ長手方向で４Ｐ／５ずれた位置）に第４の４心テープ部分１６ｄが設けられており、５，６組目のサブテープ心線１５では、第４の４心テープ部分１６ｄからテープ長手方向で３Ｐ／５ずれた位置（第１の４心テープ部分１６ａからテープ長手方向で２Ｐ／５ずれた位置）に第５の４心テープ部分１６ｅが設けられている。
【００４０】
このように、図７（Ａ）に示した例では、４心テープ部分の位置をテープ長手方向（Ｘ軸方向）に沿って見ると、第１の４心テープ部分１６ａ、第３の４心テープ部分１６ｃ、第５の４心テープ部分１６ｅ、第２の４心テープ部分１６ｂ、第４の４心テープ部分１６ｄの順に設けられている。
さらに、図７（Ｂ）に示した例では、４心テープ部分の位置が、テープ長手方向に沿って第１の４心テープ部分１６ａ、第４の４心テープ部分１６ｄ、第２の４心テープ部分１６ｂ、第５の４心テープ部分１６ｅ、第３の４心テープ部分１６ｃの順に設けられている。
【００４１】
また、図７（Ｃ）に示した例では、４心テープ部分の位置が、テープ長手方向に沿って第１の４心テープ部分１６ａ、第３の４心テープ部分１６ｃ、第４の４心テープ部分１６ｄ、第５の４心テープ部分１６ｅ、第２の４心テープ部分１６ｂの順に設けられている。
上記したように、４心テープ部分が、テープ幅方向で２箇所以上ある場合、長手方向に曲がり難くなり得る。しかし、図７のような例によれば、各４心テープ部分が、テープ幅方向に１箇所以下で構成されており、テープ長手方向にも非常に曲げやすくなる。よって、サブテープ心線で構成した間欠テープ心線であっても単心線で構成した間欠テープ心線と同様の伝送特性を実現できる。
【００４２】
今回開示された実施の形態はすべての点で例示であって制限的なものではないと考えられるべきである。本発明の範囲は、上記した意味ではなく、特許請求の範囲によって示され、特許請求の範囲と均等の意味および範囲内でのすべての変更が含まれることが意図される。
【符号の説明】
【００４３】
１０…間欠テープ心線、１１…光ファイバ心線、１２…連結部、１３…非連結部、１４…テープ被覆、１５…サブテープ心線、１６ａ…第１の４心テープ部分、１６ｂ…第２の４心テープ部分、１６ｃ…第３の４心テープ部分、１６ｄ…第４の４心テープ部分、１６ｅ…第５の４心テープ部分、１８…コア、２０…光ファイバケーブル、２１…抗張力体、２２…外被、３０…多心コネクタ、３１…コネクタ本体部、３２…前面、３３…ファイバ孔、３４…ガイド孔、３５…ブーツ部。
【図１】
0006365459.tif 000002
【図２】
0006365459.tif 000003
【図３】
0006365459.tif 000004
【図４】
0006365459.tif 000005
【図５】
0006365459.tif 000006
【図６】
0006365459.tif 000007
【図７】
0006365459.tif 000008